(57)【特許請求の範囲】
【請求項１】
質問と、前記質問に対する回答をアンケート回答者が記載する回答記載欄と、を有しておりアンケートになっている第１のシートと、
前記回答記載欄の下に重なるように配置され、前記回答記載欄の前記回答が複写される複写領域と、前記複写領域の中または前記複写領域の周辺に記載され前記質問とは異なる文言からなる記述部と、を有する第２のシートと、を有し、
前記第１のシートの前記回答記載欄に、前記アンケート回答者が前記質問に対する前記回答を記入することにより、前記第２のシートでは、前記回答が前記複写領域に複写されて、前記記述部の前記文言と複写された前記回答とが組み合わされることにより、アンケート質問者が前記回答を用いて作成するビジネス文章の草案が完成する、複写式アンケート用紙。
【請求項２】
前記第１のシートにおける前記アンケートには、前記アンケート回答者に言葉の記述を求める記述式アンケートが含まれる請求項１に記載の複写式アンケート用紙。
【請求項３】
前記アンケート回答者は、前記アンケート質問者のサービスを経験した顧客であり、前記質問は、前記アンケート質問者の前記サービスを受けた前記経験に関するものであり、
前記ビジネス文章は、前記アンケート質問者の将来顧客になり得る対象に向けた広告に用いるものであることを特徴とする請求項１または請求項２に記載の複写式アンケート用紙。
【請求項４】
前記アンケート回答者は、前記アンケート質問者にビジネスの助言を求める相談者であり、前記質問は、前記アンケート回答者のビジネスに関するものであり、
前記ビジネス文章は、前記アンケート回答者に向けた前記アンケート質問者からの提案書に用いるものであることを特徴とする請求項１または請求項２に記載の複写式アンケート用紙。
【請求項５】
コンピュータに、
質問と、前記質問に対する回答を表示するための回答表示領域と、を表示しておりアンケートになっている第１の表示状態を、表示部に表示させる処理と、
アンケート回答者が、入力部を介して入力した前記質問に対する前記回答を、前記第１の表示状態に加えて、前記回答表示領域に表示する第２の表示状態を、前記表示部に表示させる処理と、
前記第２の表示状態における前記質問を表示せず前記回答を表示するとともに、前記回答の周辺に前記質問とは異なる文言を表示する第３の表示状態を、前記表示部に表示させる処理と、を実行させ、
前記第３の表示状態では、前記回答と前記文言とが組み合わされることにより、アンケート質問者が前記回答を用いて作成するビジネス文章の草案が完成する、ビジネス文章の草案作成プログラム。
【発明の詳細な説明】
【技術分野】
【０００１】
本発明は、複写式アンケート用紙およびビジネス文書の草案作成プログラムに関する。
【背景技術】
【０００２】
広告や提案書、企画書の草案のようなビジネス文書の作成に関しては、様々な手法や理論が提案されている。しかしながら、ビジネスの環境は、業種、規模、地域などに応じて様々であり、また時代によって変化する。したがって、ビジネスを行う当事者にとって、自分にとって効果的なビジネス文書の作成方法を習得することは容易ではない。
【０００３】
たとえばアンケート調査は、市場調査や、顧客満足度の調査などのために、ビジネスの現場で多く用いられている。しかしながら、従来のアンケート調査やアンケート結果の分析は、これを有効なビジネス文書の作成に繋げるには、専門的な知識や多くの労力が必要であり、中小企業、個人事業主、一営業マンなどが有効活用するのは難しいという問題がある。
【０００４】
そのような状況において、本発明の発明者は、アンケートから広告を作成する画期的な手法を発案し、複数の著作を出版している（非特許文献１、２等参照）。発明者が発案した手法は、アンケートの結果を統計処理するような従来のアンケートの分析手法とは異なり、アンケートに記載されたアンケート回答者の言葉を直接用いて、効果的な広告の作成を行うものである。
【先行技術文献】
【特許文献】
【０００５】
【非特許文献１】「A4」1枚アンケートで利益を5倍にする方法―チラシ・DM・ホームページがスゴ腕営業マンに変わる!,ダイヤモンド社,2009.5.25,212ページ
【非特許文献２】あらゆる販促を成功させる「A4」1枚アンケート実践バイブル―お客様の声から売れる広告・儲かる仕組みが確実に作れる!,ダイヤモンド社,2016.6.24,272ページ
【発明の概要】
【発明が解決しようとする課題】
【０００６】
発明者が発案した手法は、効果的な広告を作成するための手法として極めて有効ではあるものの、広告の草案作成に習熟していない者にとっては、そのアンケートおよび広告作成手法を理解して適切に実践することが難しい場合があった。そこで、本願発明は、所定のビジネス文章の草案作成に習熟していない者であっても、容易に効果的なビジネス文章の草案を作成することができる、複写式アンケート用紙およびビジネス文書の草案作成プログラムを提供することである。
【課題を解決するための手段】
【０００７】
上記目的を達成するために、本発明に係る複写式アンケート用紙は、
質問と、前記質問に対する回答をアンケート回答者が記載する回答記載欄と、を有しておりアンケートになっている第１のシートと、
前記回答記載欄の下に重なるように配置され、前記回答記載欄の前記回答が複写される複写領域と、前記複写領域の中又は前記複写領域の周辺に記載され前記質問とは異なる文言からなる記述部と、を有する第２のシートと、を有し、
前記第１のシートの前記回答記載欄に、前記アンケート回答者が前記質問に対する前記回答を記入することにより、前記第２のシートでは、前記回答が前記複写領域に複写されて、前記記述部の前記文言と複写された前記回答とが組み合わされることにより、アンケート質問者が前記回答を用いて作成するビジネス文章の草案が完成する。
【０００８】
所定の質問に対する回答は、所定のビジネス文章を作成するために有用な言葉、フレーズ、文章などを提供するが、特定のビジネス文章の草案作成に習熟していない者にとっては、その理由および有効な質問および回答の利用方法を理解できない場合が多い。しかしながら、本発明に係る複写式アンケート用紙は、アンケート回答者が質問に対する回答を回答記載欄に記載するだけで、アンケート結果を表示する第１のシートと、ビジネス文章の草案を示す第２のシートの２種類のシートが、自動的に完成するようになっている。したがって、本発明に係る複写式アンケート用紙を用いることにより、たとえそのビジネス文章の草案作成に習熟していない者であっても、適切な質問を有するアンケートを行い、その回答を用いた効果的なビジネス文章の草案作成を、容易に行うことができる。また、本発明に係る複写式アンケート用紙を用いてアンケートを行うことにより、所定の質問に対する回答が、所定のビジネス文章を作成するために有用な言葉を提供することを、容易に理解できる。
【０００９】
また、たとえば、前記第１のシートにおける前記アンケートは、前記アンケート回答者に言葉の記述を求める記述式アンケートであってもよい。
【００１０】
第１のシートにおけるアンケートは、言葉または文章を記載しない選択式であってもよいが、言葉や文章などの記述を求める記述式アンケートであることが好ましい。このような複写式アンケート用紙を用いることにより、アンケート回答者からの多様で意外性のある回答を得ることができるため、アンケート質問者自身では思いつかないような効果的なビジネス文章の草案作成を、容易に行うことができる。
【００１１】
また、たとえば、前記アンケート回答者は、前記アンケート質問者のサービスを経験した顧客であってもよく、前記質問は、前記アンケート質問者の前記サービスを受けた前記経験に関するものであってもよく、
前記ビジネス文章は、前記アンケート質問者の将来顧客になり得る対象に向けた広告に用いるものであってもよい。
【００１２】
効果的な広告の作成は、特に広告の作成に習熟していない者にとっては難しい。しかしながら、このような複写式アンケート用紙を用いることにより、顧客のダイレクトな言葉を用いた効果的な広告の草案を、容易に作成することができる。
【００１３】
また、たとえば、前記アンケート回答者は、前記アンケート質問者にビジネスの助言を求める相談者であってもよく、前記質問は、前記アンケート回答者のビジネスに関するものであってもよく、
前記ビジネス文章は、前記アンケート回答者に向けた前記アンケート質問者からの提案書に用いるものであってもよい。
【００１４】
効果的な提案書の作成は、コンサルティングに習熟していない者にとっては難しい。しかしながら、このような複写式アンケート用紙を用いることにより、たとえコンサルティングに精通していないものであっても、相談者のダイレクトな言葉を用いた効果的な提案書の草案を、容易に作成することができる。
【００１５】
本発明に係るビジネス文章の作成プログラムは、コンピュータに、
質問と、前記質問に対する回答を表示するための回答表示領域と、を表示しておりアンケートになっている第１の表示状態を、表示部に表示させる処理と、
アンケート回答者が、入力部を介して入力した前記質問に対する前記回答を、前記第１の表示状態に加えて、前記回答表示領域に表示する第２の表示状態を、前記表示部に表示させる処理と、
前記第２の表示状態における前記質問を表示せず前記回答を表示するとともに、前記回答の周辺に前記質問とは異なる文言を表示する第３の表示状態を、前記表示部に表示させる処理と、を実行させ、
前記第３の表示状態では、前記回答と前記文言とが組み合わされることにより、アンケート質問者が前記回答を用いて作成するビジネス文章の草案が完成する。
【００１６】
本発明に係るビジネス文章の作成プログラムは、アンケート回答者が質問に対する回答を入力するだけで、アンケート結果を表示する第２の表示状態と、ビジネス文章の草案を示す第３の表示状態の２種類の表示状態が、表示部に示される。したがって、本発明に係るビジネス文章の作成プログラムを用いることにより、たとえそのビジネス文章の草案作成に習熟していない者であっても、適切な質問を有するアンケートを行い、その回答を用いた効果的なビジネス文章の草案作成を、容易に行うことができる。また、本発明に係るビジネス文章の作成プログラムを用いてアンケートを行うことにより、所定の質問に対する回答が、所定のビジネス文章を作成するために有用な言葉になる得ることを、容易に理解できる。
【図面の簡単な説明】
【００１７】
【図１】図１は、本発明の第１実施形態に係る複写式アンケート用紙を示す概念図である。
【図２】図２は、図１に示す複写式アンケート用紙の第１のシートを示す概念図である。
【図３】図３は、図１に示す複写式アンケート用紙の第２のシートを示す概念図である。
【図４】図４は、本発明の第２実施形態に係る複写式アンケート用紙を示す概念図である。
【図５】図５は、図４に示す複写式アンケート用紙の第１のシートを示す概念図である。
【図６】図６は、図４に示す複写式アンケート用紙の第２のシートを示す概念図である。
【図７】図７は、本発明のビジネス文章作成プログラムを実行するコンピュータの概念図である。
【図８】図８は、本発明のビジネス文章の作成プログラムにおける第１の表示状態を示す概念図である。
【図９】図９は、本発明のビジネス文章の作成プログラムにおける第２の表示状態を示す概念図である。
【図１０】図１０は、本発明のビジネス文章の作成プログラムにおける第３の表示状態を示す概念図である。
【発明を実施するための形態】
【００１８】
第１実施形態
図１は、本発明の第１実施形態に係る複写式アンケート用紙１０の概念図である。図１の左側に示すように、複写式アンケート用紙１０は、第１のシート２０と、第２のシート３０とを有する。第１のシート２０と第２のシート３０とは、略同じ大きさを有しており、重ねて使用される。
【００１９】
第１のシート２０および第２のシート３０のサイズは、特に限定されないが、たとえばＡ３、Ａ４、Ａ５、Ｂ４、Ｂ５、Ｂ６サイズなどとすることが好ましく、Ａ４サイズとすることが特に好ましい。Ａ４サイズであれば、記述式のアンケートとして適切かつアンケート回答者に過度な負担とならない程度の、質問２１ａおよび回答記載欄２１ｂを、第１のシート２０に設けることができるからである。
【００２０】
図１では図示していないが、第１のシート２０と第２のシート３０とは、上辺部や側辺部などに形成された接合部において、接着剤などにより互いに接合されていてもよい。また、第１のシート２０と第２のシート３０とが接合されている場合、第１のシート２０と第２のシート３０とは、接合部を剥離したり、ミシン目を切り離したりすることにより、互いに分離可能であってもよい。
【００２１】
複写式アンケート用紙１０では、第１のシート２０への記載時の筆圧を利用して、第１のシート２０に記載した内容が、第２のシート３０に複写されるようになっている。すなわち、第１のシート２０と第２のシート３０とを重ねた状態で、第１のシート２０に所定の内容を記載すると、第１のシート２０には、筆記具のインクが付着して記載がなされるとともに、第２のシート３０にも、筆記具によって加えられた筆圧に沿う記載があらわれ、第１のシート２０に対して筆記具で記載されたものと同様の内容が、第２のシート３０に複写される。複写式アンケート用紙１０に使用される筆記具としては、たとえばボールペン、鉛筆、万年筆などが挙げられるが、特に限定されない。
【００２２】
たとえば、第１のシート２０として、第１のシート２０の裏面（第２のシート３０に向き合う面）に複写用インキを印刷塗布したものを用いることにより、第１のシート２０から第２のシート３０への転写を可能とすることができる。また、第１のシート２０の裏面に無色のインクを詰めた微小カプセルを吹き付け、さらに、第２のシート３０の表面（第１のシート２０の裏面に向き合う面）に第１のシート２０の裏面に吹き付けられた無色のインクと反応する発色剤を塗布することで、第１のシート２０から第２のシート３０への転写を可能としてもよい。ただし、第１のシート２０から第２のシート３０への転写の方式は、これらのみには限定されない。
【００２３】
図２は、図１に示す複写式アンケート用紙１０における上の用紙である第１のシート２０を表す概念図である。第１のシート２０は、質問２１ａ、２２ａ、２３ａ、２４ａ、２５ａ、２６ａと、質問２１ａ〜２５ａに対する回答をアンケート回答者が記載する回答記載欄２１ｂ、２２ｂ、２３ｂ、２４ｂ、２５ｂ、２６ｂとを有する。すなわち、第１のシート２０は、質問２１ａ〜２６ａと、質問２１ａ〜２６ａに対する回答を記載する回答記載欄２１ｂ〜２６ｂとが対になって備えられており、第１のシート２０はアンケート用紙になっている。
【００２４】
図２に示す第１のシート２０には、６項目の質問２１ａ〜２６ａが記載されているが、第１のシート２０に記載される質問の数は特に限定されない。図２に示すように、第１のシート２０におけるアンケートには、アンケート回答者に言葉の記述を求める記述式アンケートが含まれる。ただし、第１のシート２０におけるアンケートには、記述式でないアンケートが含まれていてもよい。たとえば、第１のシート２０のアンケートには、質問に対してＹｅｓ／Ｎｏで回答したり、幾つかの選択枝の中から回答を選んだりする選択式アンケートが含まれていてもよい。
【００２５】
図２に示すアンケートは、「効果的な広告の作り方に関するセミナー」を開催する者（アンケート質問者）が、そのセミナーを受講した者に対して行うアンケートの一例を示したものである。すなわち、図２に示すアンケートのアンケート回答者は、アンケート質問者のサービス（「効果的な広告の作り方に関するセミナー」）を経験した顧客（お客様）である。そして、以下に示すように、アンケートに含まれる質問２１ａ〜２６ａの内容は、アンケート質問者のサービスを受けた経験および感想に関するものになっている。
【００２６】
具体例を挙げると、図２に示す１問目の質問２１ａは、「１．セミナーに申し込まれた時どんな事でお悩みだったのですか？（またはどうなりたいとお思いでしたか？）」というものである。また、２問目の質問２２ａは、「６．セミナーの感想から考えて、ひとことで言うと何が得られるセミナーですか？」というものである。さらに、３問目の質問２３ａは、「５．セミナーを受けてみてどんな良い事がありましたか？セミナーの感想をお書きください。」というものである。
【００２７】
また、図２に示す４問目の質問２４ａは、「申し込みの決め手になった所はどこでしたか？決め手になった所を３つ教えてください。（具体的に書いていただけると助かります）」、「決め手１」、「決め手２」、「決め手３」というものである。さらに、５問目の質問２５ａは、「セミナーを知ってすぐ申し込みましたか？しなかった方は申し込むにあたってどんな不安がありましたか？」、「申込時の不安（１）」、「何があれば（１）がなくなりますか？」、「申込時の不安（２）」、「何があれば（２）がなくなりますか？」というものである。
【００２８】
また、さらに、図２に示す６問目の質問２６ａは、「何でこのセミナーを知りましたか？知った媒体をお書き下さい。」というものである。このように、図２に示す第１のシート２０のアンケートは、「効果的な広告の作り方に関するセミナー」を受講したアンケート回答者に対して、アンケート質問者のサービス（セミナー）に関する印象や感想、サービスを受ける動機、サービスを知った広告媒体などを回答する内容になっている。
【００２９】
図２に示すように、回答記載欄２１ｂ〜２６ｂは、対応する質問２１ａ〜２６ａの直下に配置されている。回答記載欄２１ｂ〜２６ｂは、アンケート回答者による具体的かつ詳細な回答を促すように、罫線などが記載されていてもよい。また、回答記載欄２３ｂ、２６ｂのように、同一の質問２４ａ、２５ａに対して、複数の回答を求めてもよい。このような質問２４ａ、２５ａおよび回答記載欄２３ｂ、２６ｂによって、回答の多様性を向上させることができる。また、回答記載欄２３ｂのように、特定の回答記載欄２３ｂの内部に、イニシャルまたは氏名の記載を求めるイニシャル記載欄２３ｄが備えられていてもよい。
【００３０】
図２に示すように、第１のシート２０には、質問２１ａ〜２６ａおよび回答記載欄２１ｂ〜２６ｂの他に、アンケート回答者に対してアンケートへの協力を促すアンケート協力要請文２９や、アンケート回答者の氏名や所属（会社名）を記載する氏名記載欄２７が備えられていてもよい。また、第１のシート２０には、アンケート回答者の氏名などの掲載許可を求める掲載許可選択欄２８が備えられていてもよい。
【００３１】
図３は、図１に示す複写式アンケート用紙１０における下の用紙である第２のシート３０を表す概念図である。第２のシート３０は、第１のシート２０の回答記載欄２１ｂ〜２６ｂの回答が複写される複写領域３１ｂ、３２ｂ、３３ｂ、３４ｂ、３５ｂ、３６ｂを有する。それぞれの複写領域３１ｂ〜３６ｂは、図１に示すように第２のシート３０が第１のシート２０の下に重ねられた状態において、対応する回答記載欄２１ｂ〜２６ｂの下に重なるように配置される。
【００３２】
図３に示すように、第１のシート２０に記載される質問２１ａ〜２６ａ（図２参照）は、第２のシート３０には記載されていない。第２のシート３０は、質問２１ａ〜２６ａ（図２参照）の代わりに、質問２１ａ〜２６ａとは異なる文言３１ａ、３２ａ、３３ａ、３４ａ、３５ａ、３６ａからなる記述部を有する。
【００３３】
図３に示すように、記述部の文言３１ａ〜３６ａは、対応する複写領域３１ｂ〜３６ｂの中または、対応する複写領域３１ｂ〜３６ｂの周辺に記載される。
【００３４】
具体例を挙げると、図３の文言３１ａは、複写領域３１ｂの右隅に記載される「方へ」というものである。また、文言３２ａは、複写領域３２ｂの右隅に記載される「セミナー」というものである。さらに、文言３３ａは、複写領域３３ｂの左上に記載される「セミナーに参加した方の喜びの声」というものである。
【００３５】
また、図３の文言３４ａは、「このセミナーが選ばれている３つの理由」「理由１」、「理由２」、「理由３」というものである。さらに、図３の文言３５ａは、「よくある質問」、「Ｑ」、「Ａ」というものである。なお、第２のシート３０には、アンケート質問者の連絡先や、サービスの提供場所、価格などの情報を記載するアンケート質問者の情報欄３７が備えられていてもよい。
【００３６】
図２に示す第１のシート２０と図３に示す第２のシート３０を重ねて構成される複写式アンケート用紙１０は、図１の左側に示すように、アンケート回答者がアンケートに回答することにより、２種類の異なる文章および文章の草案を完成させる。
【００３７】
すなわち、図１の左側に示すように、第１のシート２０（上の紙）の回答記載欄２１ｂに、アンケート回答者が質問２１ａに対する回答２１ｃを記入することにより、第２のシート３０（下の紙）の複写領域３１ｂに、回答２２ｃが複写され、複写された回答３１ｃが複写領域３１ｂに記載される。
【００３８】
図１左側に示す具体例では、回答２１ｃの内容が「どうやったら売れる様になるか分からない」というものだった場合を説明している。この場合、第１のシート２０では、質問２１ａ「１．セミナーに申し込まれた時どんな事でお悩みだったのですか？（またはどうなりたいとお思いでしたか？）」に対して、「どうやったら売れる様になるか分からない」と回答したアンケート結果が完成する。
【００３９】
これに対して、第２のシート３０では、文言３１ａである「方へ」と、複写領域３１ｂに複写された回答３１ｃである「どうやったら売れる様になるか分からない」とが組み合わせられることにより、広告に用いるビジネス文章の草案が完成する。すなわち、第２のシート３０では、複写された回答３１ｃと記述部の文言３１ａが組み合わされることにより、「どうやったら売れる様になるか分からない方へ」という、アンケート質問者（セミナー開催者）の将来顧客になり得る対象に向けた広告に用いるビジネス文章の草案が、自動的に完成するようになっている。
【００４０】
アンケートにおける質問２１ａは、アンケート質問者のサービスを経験した顧客が有していた悩みを問うものであるから、この質問２１ａに対する回答は、顧客の悩みに関する情報である。しかしながら、この質問２１ａに対する回答２１ｃが、第２のシート３０では、アンケート質問者のサービス受けるニーズを有する者、すなわち広告を伝えるべきターゲットの情報に、自動的に変換される。このように、第２のシート３０では、第２のシート３０の記述部の文言３１ａと複写された回答３１ｃとを組み合わせ、アンケートの回答２１ｃの情報を自動的に変換することにより、アンケート質問者が回答２１ｃを用いて作成するビジネス文章の草案が完成する。
【００４１】
図１左側に示す他の具体例では、質問２２ａ「６．セミナーの感想から考えて、ひとことで言うと何が得られるセミナーですか？」に対して、「売れる広告の作り方がわかる」との回答２２ｃが得られた場合が示されている。この場合、第２のシート３０では、記述部の文言３２ａである「セミナー」と、複写領域３２ｂに複写された回答３２ｃである「売れる広告の作り方がわかる」とが組み合わせられることにより、広告に用いるビジネス文章の草案が完成する。すなわち、第２のシート３０では、複写された回答３２ｃと記述部の文言３２ａが組み合わされることにより、「売れる広告の作り方がわかるセミナー」という、アンケート質問者の広告に用いるビジネス文章の草案が、自動的に完成する。この具体例では、顧客がセミナーから得られたメリットに関する情報が、セミナーの効果を将来の顧客に伝える広告文章に変換されている。
【００４２】
図１左側に示すもう一つの具体例では、質問２３ａ「５．セミナーを受けてみてどんな良い事がありましたか？セミナーの感想をお書きください。」に対して、「マーケティングの勉強をしたことがない自分でも、売れる広告が作れる方法はすごいと思いました。」との回答２３ｃが得られた場合が示されている。この場合、第２のシート３０では、記述部の文言３３ａである「セミナーに参加した方の喜びの声」と、複写領域３３ｂに複写された回答３３ｃである「マーケティングの勉強をしたことがない自分でも、売れる広告が作れる方法はすごいと思いました。」とが組み合わせられることにより、広告に用いるビジネス文章の草案が完成する。すなわち、第２のシート３０では、複写された回答３３ｃと記述部の文言３３ａが組み合わされることにより、顧客がセミナーから受けた感想（良い印象）の情報が、セミナー参加者の喜びの声を将来の顧客に伝えて関心を高める広告文章に変換されている。
【００４３】
図１では表示していないが、他の質問２４ａ〜２６ａ（図２参照）についても同様に、アンケート回答者が回答記載欄２４ｂ〜２６ｂに回答を記入することにより、第２のシート３０（下の紙）の複写領域３４ｂ〜３６ｂに、回答が複写される。これにより、第２のシート３０では、文言３４ａ〜３６ａについても、上述した文言３１ａ〜３３ａと同様に、文言３４ａ〜３６ａと複写された回答とが組み合わせられ、広告に用いるビジネス文章の草案が完成する。なお、アンケートである第１のシート２０に記載される質問２１ａ〜２６ａの内容および広告の草案が完成する第２のシート３０に記載される文言３１ａ〜３６ａは、アンケート質問者のサービス内容、ビジネスの規模、地域などに応じて、適宜調整することができる。
【００４４】
このように、複写式アンケート用紙１０は、アンケート回答者が質問２１ａ〜２６ａに対する回答２１ｃ〜２３ｃを回答記載欄２１ｂ〜２６ｂに記載するだけで、アンケート結果を表示する第１のシート２０と、ビジネス文章の草案に関する第２のシート３０の２種類のシートが、自動的に完成するようになっている。したがって、このような複写式アンケート用紙１０を用いることにより、たとえそのビジネス文章の草案作成に習熟していない者であっても、適切な質問２１ａ〜２６ａを有するアンケートを行い、その回答２１ｃ〜２２ｃを用いた効果的なビジネス文章の草案作成を、容易に行うことができる。また、複写式アンケート用紙１０を用いてアンケートを行うことにより、所定の質問２１ａ〜２６ａに対する回答２１ｃ〜２３ｃが、所定のビジネス文章を作成するために有用な言葉を提供することを、容易に理解できる。
【００４５】
第２実施形態
図４は、本発明の第２実施形態に係る複写式アンケート用紙１１０の概念図である。図４に示すように、複写式アンケート用紙１１０は、図１に示す複写式アンケート用紙１０と同様に、第１のシート１２０と、第２のシート１３０とを有する。なお、図４に示す複写式アンケート用紙１１０の説明では、図１に示す複写式アンケート用紙１０との相違点のみ説明を行い、共通点については説明を省略する。
【００４６】
図５は、図４に示す複写式アンケート用紙１１０における上の用紙である第１のシート１２０を表す概念図である。第１のシート１２０は、質問１２１ａ、１２２ａ、１２３ａ、１２４ａ、１２５ａ、１２６ａ、１２７ａ、１２８ａ、１２９ａと、質問１２１ａ〜１２９ａに対する回答をアンケート回答者が記載する回答記載欄１２１ｂ、１２２ｂ、１２３ｂ、１２４ｂ、１２５ｂ、１２６ｂ、１２７ｂ、１２８ｂ、１２９ｂとを有する。すなわち、第１のシート１２０は、質問１２１ａ〜１２９ａと、質問１２１ａ〜１２９ａに対する回答を記載する回答記載欄１２１ｂ〜１２９ｂが対になって備えられており、第１のシート１２０はアンケート用紙になっている。
【００４７】
図５に示すアンケートは、ビジネスコンサルタント（アンケート質問者）が、そのビジネスコンサルタントにビジネスの助言を求める相談者（アンケート回答者）に対して行うアンケートの一例を示したものである。そして、以下に示すように、アンケートに含まれる質問１２１ａ〜１２９ａの内容は、アンケート回答者のビジネスに関するものになっている。
【００４８】
具体例を挙げると、図５に示す１問目の質問１２１ａは、「１．将来、どうなるのがお望みですか？」というものである。また、２問目の質問１２２ａは、「３．そう思ってる中で、現在はどのような状況ですか？」というものである。さらに、３問目の質問１２３ａは、「４．何がネックで、そうなってしまっているのですか？」というものである。
【００４９】
また、図５に示す４問目の質問１２４ａは、「５．この状態が続くと、どんな悪いことが起こりますか？」というものである。また、５問目の質問１２５ａは、「３．その他には、まずどうなったらいいですか？」というものである。さらに、６問目の質問１２６ａは、「６．悪いことが起きないようにするために、何があればいいですか？」というものである。
【００５０】
また、さらに、図５に示す７問目の質問１２７ａは、「７．どんなことが出来れば良いですか？」というものである。また、８問目の質問１２８ａは、「８．いつまでに出来れば嬉しいですか？」というものである。さらに、９問目の質問１２９ａは、「９．それを解決するのに、いくらまで払ってもいいですか？」というものである。
【００５１】
このように、図５に示す第１のシート１２０のアンケートは、アンケート質問者に対してビジネスの助言を求めている相談者が、相談者自身のビジネスの目標、現状、原因、懸念事項、改善点、リスク回避に必要なものまたは行動、期限、資金などを問う内容になっている。なお、第１のシート１２０には、「お悩みやお困りごとを教えて頂ければ解決方法を考えます。＊できるだけ具体的に教えて頂けると助かります。」のように、アンケート回答者に対してアンケートへの協力を促すアンケート協力要請文１２９が記載されていてもよい。
【００５２】
図５に示すように、回答記載欄１２１ｂ〜１２９ｂは、対応する質問１２１ａ〜１２９ａの直下に配置されている。回答記載欄１２１ｂの左側部には、アンケート回答者の氏名を記載する氏名記載欄１２７が備えられている。
【００５３】
図６は、図４に示す複写式アンケート用紙１１０における下の用紙である第２のシート１３０を表す概念図である。第２のシート１３０は、第１のシート１２０の回答記載欄１２１ｂ〜１２９ｂの回答が複写される複写領域１３１ｂ、１３２ｂ、１３３ｂ、１３４ｂ、１３５ｂ、１３６ｂ、１３７ｂ、１３８ｂ、１３９ｂを有する。それぞれの複写領域１３１ｂ〜１３９ｂは、図１に示すように第２のシート１３０が第１のシート１２０の下に重ねられた状態において、対応する回答記載欄１２１ｂ〜１２９ｂの下に重なるように配置される。
【００５４】
図６に示すように、第１のシート１２０に記載される質問１２１ａ〜１２９ａ（図６参照）は、第２のシート１３０には記載されていない。第２のシート１３０は、質問１２１ａ〜１２９ａ（図５参照）の代わりに、質問１２１ａ〜１２９ａとは異なる文言１３１ａ、１３２ａ、１３３ａ、１３４ａ、１３５ａ、１３６ａ、１３７ａ、１３８ａ、１３９ａからなる記述部を有する。
【００５５】
図６に示すように、記述部の文言１３１ａ〜１３９ａは、対応する複写領域１３１ｂ〜１３９ｂの中または、対応する複写領域１３１ｂ〜１３９ｂの周辺に記載される。
【００５６】
具体例を挙げると、図６の文言１３１ａは、複写領域１３１ｂの右隅に記載される「に向けてのご提案」というものである。また、文言１３２ａは、複写領域１３２ｂの左上に記載される「背景」というものである。さらに、文言１３３ａは、複写領域１３３ｂの左上に記載される「原因」というものである。
【００５７】
また、図６の文言１３４ａは、複写領域１３４ｂの左上に記載される「懸念」というものである。なお、第２のシート１３０には、複写領域１３２ｂ、１３３ｂ、１３４ｂに共通の文言１３２ａａとして、「御社の課題」が記載されている。さらに、図６の文言１３５ａは、複写領域１３５ｂの上部に記載される「期待される効果」というものである。
【００５８】
また、図６の文言１３６ａは、複写領域１３６ｂの左上に記載される「ご提案内容」というものである。また、文言１３７ａは、複写領域１３７ｂの左上に記載される「内容」というものである。また、文言１３８ａは、複写領域１３８ｂの左上に記載される「スケジュール」というものである。また、文言１３９ａは、複写領域１３９ｂの左上に記載される「予算」というものである。
【００５９】
図５に示す第１のシート１２０と図６に示す第２のシート１３０を重ねて構成される複写式アンケート用紙１１０は、図４に示すように、アンケート回答者がアンケートに回答することにより、２種類の異なる文章および文章の草案を完成させる。
【００６０】
すなわち、図４に示すように、第１のシート１２０（上の紙）の回答記載欄１２１ｂに、アンケート回答者が質問１２１ａに対する回答１２１ｃを記入することにより、第２のシート１３０（下の紙）の複写領域１３１ｂに、回答１２１ｃが複写され、複写された回答１３１ｃが複写領域１３１ｂに記載される。
【００６１】
図４に示す具体例では、回答１２１ｃの内容が「４７都道府県に営業所が出来る」というものだった場合を説明している。この場合、第１のシート１２０では、質問１２１ａ「１．将来、どうなるのがお望みですか？」に対して、「４７都道府県に営業所が出来る」と回答したアンケート結果が完成する。
【００６２】
これに対して、第２のシート１３０では、文言１３１ａである「に向けてのご提案」と、複写領域１３１ｂに複写された回答１３１ｃである「４７都道府県に営業所が出来る」とが組み合わせられることにより、ビジネスコンサルティングに用いるビジネス文章の草案が完成する。すなわち、第２のシート１３０では、複写された回答１３１ｃと記述部の文言１３１ａが組み合わされることにより、「４７都道府県に営業所が出来るに向けてのご提案」という、アンケート質問者（ビジネスコンサルタント）のアンケート回答者（相談者）に対する提案書の草案に用いる文章が、自動的に完成するようになっている。
【００６３】
図４では表示していないが、他の質問１２２ａ〜１２９ａ（図５参照）についても同様に、アンケート回答者が回答記載欄１２２ｂ〜１２９ｂに回答を記入することにより、第２のシート１３０（下の紙）の複写領域１３２ｂ〜１３９ｂに、回答が複写される。これにより、第２のシート１３０では、文言１３２ａ〜１３９ａについても、上述した文言１３１ａと同様に、文言１３２ａ〜１３９ａと複写された回答とが組み合わせられ、提案書の草案に用いる文章が完成する。
【００６４】
このように、複写式アンケート用紙１１０は、アンケート回答者が質問１２１ａ〜１２９ａに対する回答１２１ｃを回答記載欄１２１ｂ〜１２９ｂに記載するだけで、アンケート結果を表示する第１のシート２０と、提案書である第２のシート３０の２種類のシートが、自動的に完成するようになっている。すなわち、複写式アンケート用紙１１０は、アンケート結果を、提案書に用いる文章に自動的に変換することができる。また、複写式アンケート用紙１１０は、図１を用いて説明した複写式アンケート用紙１０と、同様の効果を奏する。
【００６５】
第３実施形態
第１実施形態および第２実施形態で示したものと同様のビジネス文章の作成は、複写式アンケート用紙１０、１１０を用いる方法のほかに、下記に示すようなビジネス文章の草案作成プログラムが、コンピュータに対して所定の処理を実行させることによっても実現することができる。以下、図７〜図１０を用いて、本発明の第３実施形態に係るビジネス文章の草案作成プログラムについて説明する。
【００６６】
図７は、第３実施形態に係るビジネス文章の草案作成プログラムによる処理が実行されるコンピュータを示す機能ブロック図である。コンピュータ２５０は、表示部２６２と、入力部２６４と、演算部２６６と、記憶部２６８とを有する。
【００６７】
表示部２６２は、アンケートの質問や回答、および質問とは異なる文言などを表示し、たとえば、液晶表示パネルや有機ＥＬパネルで構成されるが、特に限定されない。入力部２６４は、アンケート回答者が質問の回答を入力するためのインターフェースであり、たとえばキーボードやタッチパッドなどで構成される。
【００６８】
コンピュータ２５０は、表示部２６２と入力部２６４とが一体となったタッチパネル２６０を有しているタブレット型コンピュータであるが、プログラムによる処理が実行されるコンピュータは、タブレット型コンピュータのみには限定されない。
【００６９】
コンピュータ２５０の記憶部２６８は、不揮発性メモリや揮発性メモリを有しており、ビジネス文章の草案作成プログラムを含む各種のプログラムなどを記憶する。演算部２６６は、マイクロプロセッサなどで構成され、コンピュータ２５０に関する各種の演算処理を行うことにより、タッチパネル２６０および記憶部２６８などを制御する。
【００７０】
第３実施形態に係るビジネス文章の草案作成プログラムは、コンピュータ２５０の表示部２６２に対して、図８に示す第１の表示状態２７１と、図９に示す第２の表示状態２７２と、図１０に示す第３の表示状態２７３とを表示させることができる。
【００７１】
図８に示す第１の表示状態２７１は、質問１２１ａ〜１２９ａと、質問１２１ａ〜１２９ａに対する回答を表示するための回答表示領域２２１ｂ〜２２９ｂとを有しており、アンケートになっている。図８に示す質問１２１ａ〜１２９ａは、図５に示す第１のシート１２０に記載される質問１２１ａ〜１２９ａと同様であり、図８に示す回答表示領域２２１ｂ〜２２９ｂは、第１のシート１２０の回答記載欄１２１ｂ〜１２９ｂと同様の形状である。すなわち、第１の表示状態２７１において、表示部２６２は、図５に示す第１のシート１２０の記載と同様の内容を表示している。
【００７２】
たとえば、アンケート質問者は、表示部２６２に第１の表示状態２７１を表示させ、これをアンケート回答者に見せることにより、アンケート回答者に対して、コンピュータ２５０に対するアンケートの回答入力を依頼してもよい。
【００７３】
図９に示す第２の表示状態２７２は、アンケート回答者が入力部２６４（図７参照）を介して入力した質問１２１ａ〜１２９ａに対する回答２２１ｃ〜２２９ｃを、図８に示す第１の表示状態２７１に加えて、回答表示領域２２１ｂ〜２２９ｂに表示している。アンケート回答者がアンケートの質問１２１ａ〜１２９ａに回答している間、表示部２６２の表示状態は、第２の表示状態２７２に維持されることが好ましい。これにより、アンケート回答者は、アンケートの質問１２１ａ〜１２９ａを見ながら、回答２２１ｃ〜２２９ｃの入力を進めることができる。
【００７４】
図１０に示す第３の表示状態２７３は、第１の表示状態２７１および第２の表示状態２７２で表示していたアンケートのうち、質問１２１ａ〜１２９ａを表示せず、アンケート回答者の回答２２１ｃ〜２２９ｃのみを表示する。また、第３の表示状態２７３では、回答２２１ｃ〜２２９ｃの周辺に、質問１２１ａ〜１２９ａとは異なる文言１３１ａ〜１３９ａ、１３２ａａを表示する。図１０に示す文言１３１ａ〜１３９ａ、１３２ａａは、図６に示す第２のシート１３０に記載される文言１３１ａ〜１３９ａ、１３２ａａと同様である。
【００７５】
図１０に示す第３の表示状態では、回答２２１ｃ〜２２９ｃと文言１３１ａ〜１３９ａとが組み合わせられることにより、アンケート質問者が回答２２１ｃ〜２２９ｃを用いて作成するビジネス文章の草案が完成する。このように、第３実施形態に係るビジネス文章の草案作成プログラムは、第２実施形態に係る複写式アンケート用紙１１０と同様の効果を奏する。
【符号の説明】
【００７６】
１０、１１０…複写式アンケート用紙
２０、１２０…第１のシート
２１ａ〜２６ａ、１２１ａ〜１２９ａ…質問
２１ｂ〜２６ｂ、１２１ｂ〜１２９ｂ…回答記載欄
２２１ｂ〜２２９ｂ…回答表示領域
２１ｃ、２２ｃ、２３ｃ、１２１ｃ、２２１ｃ〜２２９ｃ…回答
２３ｄ…イニシャル記載欄
２７、１２７…氏名記載欄
２８…掲載許可選択欄
２９、１２９…アンケート協力要請文
３０、１３０…第２のシート
３１ａ〜３６ａ、１３１ａ〜１３９ａ、１３２ａａ…文言
３１ｂ〜３６ｂ、１３１ｂ〜１３９ｂ…複写領域
３１ｃ、３２ｃ、３３ｃ、１３１ｃ…複写された回答
３７…アンケート質問者の情報欄
２５０…コンピュータ
２６０…タッチパネル
２６２…表示部
２６４…入力部
２６６…演算部
２６８…記憶部
２７１…第１の表示状態
２７２…第２の表示状態
２７３…第３の表示状態
【要約】      （修正有）【課題】所定のビジネス文章の草案作成に習熟していない者であっても、容易に効果的なビジネス文章の草案を作成することができる複写式アンケート用紙を提供する。【解決手段】質問２１ａ〜２６ａと、質問に対する回答をアンケート回答者が記載する回答記載欄２１ｂ〜２６ｂと、を有しておりアンケートになっている第１のシート２０と、回答記載欄の下に重なるように配置され、回答記載欄の回答が複写される複写領域３１ｂ〜３３ｂと、複写領域の中または複写領域の周辺に記載され質問とは異なる文言からなる記述部と、を有する第２のシート３０と、を有し、第１のシートの回答記載欄に、アンケート回答者が質問に対する回答を記入することにより、第２のシートでは、回答が複写領域に複写されて、記述部の文言と複写された回答とが組み合わされることにより、アンケート質問者が回答を用いて作成するビジネス文章の草案が完成する複写式アンケート用紙１０。【選択図】図１【図１】
0006795743.tif 000002
【図２】
0006795743.tif 000003
【図３】
0006795743.tif 000004
【図４】
0006795743.tif 000005
【図５】
0006795743.tif 000006
【図６】
0006795743.tif 000007
【図７】
0006795743.tif 000008
【図８】
0006795743.tif 000009
【図９】
0006795743.tif 000010
【図１０】
0006795743.tif 000011